(57)【要約】      （修正有）【課題】ハブ装置をリム／車輪に効果的に結合するための接続構造の提供。【解決手段】ハブ装置は、外側半径を有するハウジングアセンブリ１０１，２０１と、ハウジングアセンブリの少なくとも１つの側面に周方向に設けられた取り付け部分１０３とを含む。取り付け部分は、ハブ装置を車輪リムに結合するように構成される複数の結合構造とともに形成される。取り付け部分は、外側半径より小さい第１の半径を規定する。【選択図】図２ａ
2019099147.tif 000002
【特許請求の範囲】
【請求項１】
車両を駆動するためのハブ装置であって、
外側半径を有するハウジングアセンブリであり、前記ハウジングアセンブリは、
第１のハウジング構成要素と、
前記第１のハウジング構成要素と密接に嵌合するように構成された第２のハウジング構成要素と
を備える、ハウジングアセンブリと、
前記ハウジングアセンブリの少なくとも１つの側面に周方向に設けられている取り付け部分であり、前記取り付け部分は、前記ハブ装置を車輪リムに結合するように構成される複数の結合構造とともに形成されており、前記取り付け部分は、前記外側半径よりも小さい第１の半径を規定する、取り付け部分と
を備える、ハブ装置。
【請求項２】
前記ハウジングアセンブリは、前記ハブ装置の中心にあるシャフト開口とともに形成され、前記シャフト開口は、前記ハブ装置のシャフトを受け入れるように構成され、前記ハウジングアセンブリは、前記ハブ装置の前記シャフトに回転可能に結合するように構成されている、請求項１に記載のハブ装置。
【請求項３】
前記取り付け部分は、前記ハウジングアセンブリと同心である、請求項１に記載のハブ装置。
【請求項４】
前記取り付け部分は、前記ハウジングアセンブリと一体的に形成されたハブフランジを備える、請求項１に記載のハブ装置。
【請求項５】
前記結合構造は、前記取り付け部分の周りに周方向に形成された開口を含む、請求項１に記載のハブ装置。
【請求項６】
前記開口の各々は、球状ワッシャを受け入れるように構成された内部球面を含む、請求項５に記載のハブ装置。
【請求項７】
前記開口は、すべての隣接する２つの前記開口の間に等間隔で前記取り付け部分の周囲に配置されている、請求項５に記載のハブ装置。
【請求項８】
前記外側半径に対する前記第１の半径の比が７０％より小さい、請求項１に記載のハブ装置。
【請求項９】
前記取り付け部分は、第１の取り付け部分であり、前記少なくとも１つの側面は第１の表面であり、前記ハブ装置は、前記第１の表面に対向する第２の表面に設けられた第２の取り付け部分をさらに備え、前記第２の取り付け部分は、前記第１の半径と実質的に同じ第２の半径を有する、請求項１に記載のハブ装置。
【請求項１０】
前記取り付け部分は、第１の取り付け部分であり、前記少なくとも１つの側面は第１の表面であり、前記ハブ装置は、前記第１の表面に対向する第２の表面に設けられた第２の取り付け部分をさらに備え、前記第２の取り付け部分は、前記外側半径よりも小さく、前記第１の半径と異なる第２の半径を有する、請求項１に記載のハブ装置。
【請求項１１】
前記取り付け部分は、前記第１のハウジング構成要素に取り付けられた環状体構造を含む、請求項１に記載のハブ装置。
【請求項１２】
前記第１のハウジング構成要素は、側壁と外側リムとを備え、前記外側リムは、前記側壁の外縁の周りに周方向に配置され、前記第２のハウジング構成要素は、前記外側リムに密接に嵌合するように構成されている挿入フランジを有する蓋を備える、請求項１に記載のハブ装置。
【請求項１３】
車輪であって、
タイヤと、
前記タイヤを支持するように構成されたリムと、
外側半径を有するハウジングアセンブリであり、前記ハウジングアセンブリは、
第１のハウジング構成要素と、
前記第１のハウジング構成要素と密接に嵌合するように構成された第２のハウジング構成要素と
を備える、ハウジングアセンブリと、
前記ハウジングアセンブリの少なくとも１つの側面に周方向に設けられている取り付け部分であり、前記取り付け部分は、前記ハウジングアセンブリを車両に結合するように構成される複数の結合構造とともに形成されており、前記取り付け部分は、前記外側半径よりも小さい第１の半径を規定する、取り付け部分と、
前記リムに前記取り付け部分を結合するように構成された複数のモジュール化コネクタであって、前記モジュール化コネクタの各々は、前記結合構造の対応する１つと協働するように配置され、前記モジュール化コネクタの各々は、外端および内端を有し、前記外端は前記リムに結合され、前記内端は、前記取り付け部分の内面に着座するように構成されている、複数のモジュール化コネクタと
を備える、車輪。
【請求項１４】
前記複数のモジュール化コネクタの各々は、スポークを備え、前記スポークは、前記内端の停止部分とともに形成される、請求項１３に記載の車輪。
【請求項１５】
前記複数のモジュール化コネクタの各々は、ワッシャをさらに備え、前記ワッシャは、前記スポーク上に嵌め込まれ、前記ワッシャは、前記スポークの前記停止部分および前記取り付け部分の前記内面に当接するように構成されている、請求項１４に記載の車輪。
【請求項１６】
前記ワッシャが球状ワッシャであり、前記結合構造が開口であり、前記開口の各々が、前記球状ワッシャを受け入れるように構成された内部球面を有する、請求項１５に記載の車輪。
【請求項１７】
前記複数のモジュール化コネクタの各々の前記内端は、張り出し端部を備える、請求項１３に記載の車輪。
【請求項１８】
前記複数のモジュール化コネクタの各々の前記内端は、球状停止部分を含み、前記結合構造は開口であり、前記開口の各々は、前記球状停止部分を受け入れるように構成された内部球面を有する、請求項１３に記載の車輪。
【請求項１９】
車輪であって、
タイヤと、
前記タイヤを支持するように構成されたリムと、
外側半径を有するハウジングアセンブリであり、前記ハウジングアセンブリは、
第１のハウジング構成要素と、
前記第１のハウジング構成要素と密接に嵌合するように構成された第２のハウジング構成要素と
を備える、ハウジングアセンブリと、
前記ハウジングアセンブリの第１の表面に周方向に設けられている第１の取り付け部分であり、前記第１の取り付け部分は、前記ハウジングアセンブリを車両に結合するように構成される複数の第１の開口とともに形成されており、前記第１の取り付け部分は、前記外側半径よりも小さい第１の半径を規定する、第１の取り付け部分と、
前記第１の表面に対向する、前記ハウジングアセンブリの第２の表面に周方向に設けられている第２の取り付け部分であり、前記第２の取り付け部分は、前記ハウジングアセンブリを前記車両に結合するように構成される複数の第２の開口とともに形成されており、前記第２の取り付け部分は、前記外側半径よりも小さい第２の半径を規定する、第２の取り付け部分と、
前記リムに前記第１の取り付け部分および前記第２の取り付け部分を結合するように構成された複数のモジュール化コネクタであって、前記モジュール化コネクタの各々は、前記第１の開口および前記第２の開口のうちの対応する１つと協働するように配置され、前記モジュール化コネクタの各々は、外端および内端を有し、前記外端は前記リムに結合され、前記内端は、前記第１の取り付け部分および前記第２の取り付け部分の内面に着座するように構成されている、複数のモジュール化コネクタと
を備える、車輪。
【請求項２０】
前記外側半径に対する前記第１の半径の比が７０％より小さく、前記第２の半径が前記第１の半径と実質的に同じである、請求項１９に記載の車輪。
【発明の詳細な説明】
【関連出願との相互参照】
【０００１】
本出願は、参照によりその全体が本明細書に組み込まれる、米国仮出願第６２／５９３，８５４号（２０１７年１２月１日出願）および同第６２／６５０，８９５号（２０１８年３月３０日出願）の利益および優先権を主張する。
【技術分野】
【０００２】
本技術は、ハブ装置および関連システムに関する。より詳細には、本技術は、車輪に含まれ、車輪を駆動するように構成されたハブ装置に関する。
【背景技術】
【０００３】
現代の都市では、個人用車両に依存している輸送は、交通量および汚染を大幅に増加させる可能性がある。この問題に対する１つの解決策は、コンパクトな設計の車両、例えば、ハブ装置によって駆動される車輪を有するコンパクトな車両を人々に使用させることである。いくつかの従来のハブ装置は複雑な設計を有し、制限された種類の車輪のみをサポートする。いくつかの従来のハブ装置には、耐久性および構造剛性の問題がある。したがって、改善されたハブ装置および関連システムが必要とされている。
【図面の簡単な説明】
【０００４】
【図１】本技術の実施形態によるハブ装置を示す図である。
【０００５】
【図２ａ】本技術の実施形態によるハブ装置を示す部分分解図である。
【図２ｂ】本技術の実施形態によるハブ装置を示す部分分解図である。
【０００６】
【図３ａ】本技術の実施形態によるスポークおよびワッシャ／ブッシングを示す図である。
【図３ｂ】本技術の実施形態によるスポークおよびワッシャ／ブッシングを示す図である。
【０００７】
【図４】本技術の実施形態によるハブ装置を有する車輪を示す図である。
【０００８】
図面は必ずしも縮尺通りに描かれていない。例えば、図面の要素のいくつかの寸法は、様々な実施形態の理解を向上させるのを助けるために拡大または縮小されている場合がある。同様に、いくつかの実施形態の論述の目的のために、いくつかの構成要素および／または動作を異なるブロックに分離してもよく、または単一のブロックに組み合わせてもよい。さらに、特定の実施形態が図面に例として示され、以下に詳細に説明されているが、当業者は、修正、均等物、および代替物が添付の特許請求の範囲内に入ることを認識するであろう。
【発明を実施するための形態】
【０００９】
本技術は、車両を駆動するように構成された、車輪に含まれるハブ装置に関する。ハブ装置は、例えば、外側半径を有するハウジングアセンブリと、ハウジングアセンブリの少なくとも１つの側面に周方向に設けられた取り付け部分とを含む。取り付け部分は、ハブ装置を車輪リムに（例えば、スポークを介して）結合するように構成された、その周囲に複数の結合構造（例えば、開口）を有する外向きに延伸するフランジとして形成される。例えば、スポークの一端は取り付け部分に結合され、一方で、スポークの他端は車輪リムに結合される。取り付け部分は、ハウジングアセンブリの外側半径よりも小さい半径を有する。いくつかの実施形態では、（ハウジングアセンブリの）外側半径に対する取り付け部分の半径の比は、３０％、４０％、５０％、６０％、７０％、８０％〜９０％であってもよく、または、その間の任意の適切なパーセンテージであってもよい。スポークをハウジングアセンブリの外縁ではなく取り付け部分に接続することにより、スポークの、取り付け部分に接触する端部をハウジングアセンブリの中心に近い位置に配置することができ、構造剛性および耐久性を高めることができる。
【００１０】
いくつかの実施形態では、本技術は、タイヤ、車輪リム、およびハブ装置を有する車輪に関する。車輪は、車両（例えば、自転車、三輪車、スクータ、電動車椅子、カートなど）を駆動するように、ハブ装置によって回転させることができる。車輪は、ハブ装置を車輪リムに結合するように構成された接続構造を含むことができる。いくつかの実施形態では、接続構造は、（１）複数のモジュール化コネクタ（例えば、スポークおよびワッシャ／ブッシング）および（２）ハブ装置の表面から外向きに延伸する取り付け部分（例えば、ハブフランジ、リング構造、環状体または「ドーナツ形状」構造など）を含む。いくつかの実施形態では、ハウジングアセンブリは、互いに係合している２つのハウジング構成要素を含むことができる。２つのハウジング構成要素が接続されている位置に過剰な外力が加えられると、ハウジング構成要素が係合解除され、または損傷を受ける可能性さえある。接続構造によって、スポークは、ハブ装置のハウジングアセンブリの外縁に直接結合されず、したがって、スポークからの力／張力は、ハウジングアセンブリに大きくは影響しない。その結果、ハブ装置の構造剛性が向上し、そのため、ハブ装置の動作中の安定性が向上する。
【００１１】
いくつかの実施形態では、ハブ装置は、ロータアセンブリと、シャフトと、ステータアセンブリとを含む。ステータアセンブリはシャフトに固定的に結合され、シャフトはロータアセンブリを通って延伸する。ロータアセンブリは、ステータアセンブリおよびシャフトに対して回転することができる。いくつかの実施形態では、ハブ装置は電気モータと考えることができる。ハブ装置のロータアセンブリは車両の車輪／リムに結合され、シャフトは車両（例えば、フレームなどの車両構造）に固定的に結合される。ハブ装置は、人力の有無にかかわらず車輪を回転させて車両を動かす（または少なくとも動くように促す）ように構成されている。
【００１２】
本技術の利点は、例えば、（１）ハブ装置の剛性および全体の構造強度を強化すること、（２）車輪からの力を取り付け部分に均等に分配することができる（例えば、取り付け部分とスポークとの間の接触表面積を増加させるように、取り付け部分の球状内面に対して球状ワッシャを配置することができる）こと、（３）ハブ装置をリム／車輪に効果的に結合するための接続構造を提供すること、および、（４）接続構造が、様々なタイプのハブ装置およびリム／車輪を結合するのに適した異なるサイズ／形状／寸法のモジュール化構成要素を含む。いくつかの実施形態では、開示されている技術は、ユーザが、ハブ装置を操作するための位置／ルート（例えば、都市または山、舗装道路または砂利道など）、ハブ装置を動作させるときの環境条件（例えば、温度、湿度、大気汚染物質など）などの１つまたは複数の要因に基づいて接続構造をカスタマイズすることを可能にする。これは、接続構造の寿命および信頼性にとって有益である。
【００１３】
本技術の別の態様は、（１）タイヤと、（２）タイヤを支持するように構成されたリムと、（３）外側半径を有するハウジングアセンブリと、（４）ハウジングアセンブリの少なくとも１つの側面に周方向に設けられた取り付け部分と、（５）取り付け部分をリムに結合するように構成された複数のモジュール化コネクタとを含む。取り付け部分は、ハウジングアセンブリをリムに結合するように構成される、その周囲の複数の結合構造（例えば、開口）とともに形成される。取り付け部分は、ハウジングアセンブリの外側半径よりも小さい第１の半径を規定する。各モジュール化コネクタは、複数の開口のうちの対応する１つと協働するように配置される。各モジュール化コネクタは、外端と内端とを有する。外端はリムに結合され、内端は取り付け部分の内面に着座するように構成される。
【００１４】
いくつかの実施形態では、複数のモジュール化コネクタの各々は、スポークおよびワッシャ／ブッシングを有し、スポークは、端部に停止部分（例えば、スポークの直径が増加する張り出し端部）を備えて形成される。ワッシャは、複数のモジュール化コネクタのうちの１つの上に嵌め込まれ、ワッシャは、複数のモジュール化コネクタのうちの１つの内端に当接する。いくつかの実施形態では、複数のモジュール化コネクタの各々は、複数の結合構造のうちの対応する１つの内部球面内に配置されるように構成されている、その内端にある（例えば、ハブ装置の中心に近い）球状停止部を有することができる。いくつかの実施形態では、結合構造は、接続構造の特徴に基づいて異なる形態とすることができる。例えば、ハブ装置は、ねじ／ボルト／ナットまたは任意の他の適切な接続構造によって車輪に結合することができる。
【００１５】
本技術のさらに別の態様は、（１）タイヤと、（２）タイヤを支持するように構成されたリムと、（３）外側半径を有するハウジングアセンブリと、（４）ハウジングアセンブリの第１の表面上に周方向に設けられた第１の取り付け部分と、（５）ハウジングアセンブリの第１の表面に対向する第２の表面上に周方向に設けられた第２の取り付け部分と、（６）第１の取り付け部分および第２の取り付け部分をリムに結合するように構成された複数のモジュール化コネクタとを有する車輪を含む。第１の取り付け部分は、ハウジングアセンブリをリムに結合するように構成される複数の第１の開口とともに形成されている。第１の取り付け部分は、外側半径より小さい第１の半径を規定する。第２の取り付け部分は、ハウジングアセンブリを車両に結合するように構成される複数の第２の開口とともに形成されている。第２の取り付け部分は、外側半径より小さい第２の半径を規定する。いくつかの実施形態では、第２の半径は、概して、第１の半径と同じである。いくつかの実施形態では、第２の半径は第１の半径とは異なる。いくつかの実施形態では、外側半径に対する第１の半径の比は７０％より小さい。いくつかの実施形態では、この比は３０％〜９０％の範囲であり得る。
【００１６】
図１は、本技術の実施形態によるハブ装置／アセンブリ１００の等角図である。図１に示すように、ハブ装置１００は、ハウジング（または外側ハウジング）と、複数のモジュール化コネクタまたはスポーク１０５（例えば、スポーク１０５の他端は、二輪車の前輪／後輪に結合することができる）を収容するように構成されている取り付け部分１０３とを含む。ハウジングは、第１のハウジング構成要素１０１および第２のハウジング構成要素２０１（図２ａ）を含む。いくつかの実施形態では、取り付け部分１０３は、ハブフランジ（例えば、円形の平坦な側壁を有する構造）またはリング構造（例えば、円形の湾曲した側壁を有する構造）であり得る。いくつかの実施形態では、取り付け部分１０３は環状体構造とすることができる。いくつかの実施形態では、取り付け部分１０３は、第１のハウジング構成要素１０１の側壁と一体的に形成することができる。いくつかの実施形態では、取り付け部分１０３は、第１のハウジング構成要素１０１の側壁に固定されるか、または固定的に取り付けられ得る。
【００１７】
図１に示すように、第１のハウジング構成要素１０１は、外側半径ＯＲを規定する。外側半径は、第１のハウジング構成要素１０１の中心から外縁１０２まで延伸する。取り付け部分１０３は、外側半径ＯＲより小さい半径ＲＲを有する。第１のハウジング構成要素１０１は、（例えば、シャフトが通過する）側部開口とともに形成されている。側部開口は内縁１０４を画定する。図示のように、取り付け部分１０３は中央開口の外側に位置する。
【００１８】
いくつかの実施形態では、ハウジングは、複数のハウジング構成要素から組み立てることができる。第１のハウジング構成要素１０１と第２のハウジング構成要素２０１とは、互いに結合され、ともに、ハブ装置１００の要素を収容するための内側／内方／内部空間を形成する。いくつかの実施形態では、例えば、第１のハウジング構成要素１０１は、側壁１０１ａと、側壁１０１ａの外周の周りに延伸する外側リム１０１ｂとを含むことができる。外側リム１０１ｂは、ハウジング内の内方空間を画定する高さを有する。図示するように、外側リム１０１ｂは、側壁１０１ａの外縁の周りに周方向に配置されている。
【００１９】
図１に示すように、第１のハウジング構成要素１０１は、中央における、シャフト（例えば、図２ａのシャフト２０９）が通過することを可能にする側部開口とともに形成される。側部開口は、サイドカバー４０４（図４参照）を収容するように構成される。いくつかの実施形態では、サイドカバー４０４はシャフトに固定的に結合され、したがってハウジングとともに回転しない。いくつかの実施形態では、サイドカバーとハウジングとの間にベアリングを配置することができ、これは、ハウジングがサイドカバー４０４（またはシャフト２０９）に対して回転することを可能にする。いくつかの実施形態では、ハウジングとサイドカバーとの間にオイルシールを配置することができる。
【００２０】
図１に示すように、取り付け部分１０３は、側壁１０１ａに結合されるか、または一体的に形成される。取り付け部分１０３は、第１のハウジング構成要素１０１の中心点から半径方向外側の位置において、側壁１０１ａの表面から外向きに延伸する。第２のハウジング構成要素２０１（例えば、蓋またはキャップ、図２ａ）は、第１のハウジング構成要素１０１の開放端を、第１のハウジング構成要素１０１の外側リム１０１ｂの下に適合する構造によって封止する。いくつかの実施形態では、第２のハウジング構成要素２０１は、その上に形成された挿入フランジ２０１１を含むことができる。挿入フランジ（またはリップ）２０１１は、第２のハウジング構成要素２０１を第１のハウジング構成要素１０１に結合するように（例えば、図２ｂを参照して以下に説明する間隙に挿入されるように）構成される。いくつかの実施形態では、挿入フランジ２０１１は、外側リム１０１ｂと密接に嵌合するように構成される。いくつかの実施形態では、第２のハウジング構成要素２０１とシャフト２０９との間にベアリングまたはオイルシール２１４（図２ａ）を配置することができる。ベアリング２１４は、第２のハウジング構成要素２０１とシャフト２０９との間の相対回転を容易にするように構成される。
【００２１】
図２ａに最もよく示されているように、ハウジングの内方空間には、ハブアセンブリ１００の中心を通る車軸またはシャフト２０９に直接的または間接的に固定されている主回路基板２０３、バッテリアセンブリ２０５、およびステータアセンブリ２０７が嵌め込まれている。そのような実施形態では、第１のハウジング構成要素１０１と、第１のハウジング構成要素１０１の内方の複数の磁石２０８（図１には見えない、図２ｂ参照）がともにロータアセンブリ２２２を形成する。いくつかの実施形態では、主回路基板２０３およびバッテリアセンブリ２０５は、ステータアセンブリ２０７の一部と考えることができる。
【００２２】
図２ｂに最もよく示されるように、ステータアセンブリ２０７は、その外周の周りに配置された複数のコイルを有する支持車輪／シャーシ／構造を含む。支持車輪は中空であり、それによって、バッテリアセンブリ２０５およびハブ装置２００の他の電子構成要素が支持車輪の内方空間に嵌合することができる。バッテリアセンブリ２０５のバッテリパックによって供給される電流がステータアセンブリ２０７のコイル（またはコイルアセンブリ）を通過すると、磁場が生成され、したがってロータアセンブリの磁石を動かして、ロータアセンブリ２２２を軸Ｒ（またはシャフト２０９）を中心として回転させる。いくつかの実施形態では、追加のバッテリパックが、バックアップの補助電源として、ハブ装置１００の外部に配置されてもよい。その結果、ハウジング、および、スポーク１０５を介してハウジングに取り付けられた車輪も回転して、スクータ、自転車、または車両が動く。
【００２３】
図示の実施形態では、取り付け部分１０３および側壁１０１ａは、同心円状に配置されている。取り付け部分１０３は、側壁１０１ａの中心点の周りに配置されている。他の実施形態では、取り付け部分１０３は、第１のハウジング構成要素１０１の外縁により近い、または中心点により近い半径を有することができる）。図示のように、取り付け部分１０３は、それぞれ複数のスポーク１０５のうちの対応する１つの端部を受け入れるように各々が構成された開口１０７のような複数の結合構造を含む。いくつかの実施形態では、開口１０７は、円形、長円形、楕円形などのような様々な形状にすることができる。いくつかの実施形態では、結合構造は、ハブ装置１００を車輪に接続するのに適した任意の構造とすることができる。いくつかの実施形態では、例えば、モジュール化コネクタはねじを含むことができ、結合構造はねじ穴を含むことができる。
【００２４】
各スポーク１０５は、車輪／リム構造（図１には示されていない）に結合するように構成された外端と、取り付け部分１０３の内周に形成された対応する形状の凹部に着座する張り出し（または球状）内端１０９を有する。一実施形態では、球状ワッシャ／ブッシング１０８がスポーク１０５の上に嵌め込まれ、スポーク１０５の張り出し端部に当接する。いくつかの実施形態では、ワッシャ／ブッシング１０８は、スポーク１０５の配置された端部のプロファイルに適合する円錐形凹部を内部に有することができる。対応して整形された球形凹部が、取り付け部分１０３内に形成されて、球状ワッシャ１０８を受け入れ、張力下でスポーク１０５を固定する。  いくつかの実施形態では、開口１０７の各々は、球状ワッシャ１０８を受け入れるように構成された内部球面を含む。いくつかの実施形態では、開口１０７は、隣接する２つの開口１０７の間に等しい間隔で取り付け部分１０３の周りに配置される。いくつかの実施形態では、開口１０７の間隔は、スポーク１０５の所望のレーシングパターンに応じて、均一ではない。
【００２５】
また、球状ワッシャ１０８は、スポーク１０５が取り付け部分１０３に種々の角度で接触することを可能にするため、本発明の構造は、（１）製造の自由度を改善し（例えば、嵌合が容易で誤差許容度が高い）、（２）少なくともスポーク１０５が端部においてハブフランジ１０３に剛直に固定されていないため、ハブ装置１００を操作するときに付加的な耐久性を提供する。また、特に、すべてのスポーク１０５が異なる方向／角度で接続されている場合、（単一の接触点ではなく）球状接触面に起因して、力／張力を均等に分散させることができる。
【００２６】
図２ａは、本技術の実施形態によるハブ装置２００を示す分解図である。ハブ装置２００は、（側壁１０１ａおよび外側リム１０１ｂを有する）第１のハウジング構成要素１０１と、第２のハウジング構成要素２０１とを含む。その外面に、第１のハウジング構成要素１０１は、複数のスポークを介して第１のハウジング構成要素１０１を車輪／リム構造に結合するように構成された取り付け部分１０３を含む。第２のハウジング構成要素２０１は、その内面上に、（例えば、ロックデバイス（例えば、第１のハウジング構成要素１０１に向かって可動なストッパ）と協働することによって）第１のハウジング構成要素１０１とステータアセンブリ２０７との間の相対回転を停止させるように構成された複数の突起または止めバンプ２１３を含む。複数の突起または止めバンプ２１３は、「係合部分」と名付けることができる。  第１のハウジング構成要素１０１および第２のハウジング構成要素２０１はともにハウジングアセンブリを形成する。
【００２７】
いくつかの実施形態では、係合部分は、（例えば、ロックデバイスを受け入れるように構成された）凹部、（例えば、ロックデバイスを係合するように構成された）フック、および他の適切な構成要素として実装することができる。いくつかの実施形態では、係合部分は、第１のハウジング構成要素１０１の側壁１０１ａの内面および／または第２のハウジング構成要素２０１の内面上に位置する。
【００２８】
図示された実施形態では、複数の磁石２０８（例えば、図２ｂ参照）が外側リム１０１ｂの内面上に周方向に配置され、したがって、第１のハウジング構成要素１０１、第２のハウジング構成要素２０１、および磁石は、ともに、この実施形態において「ロータアセンブリ」またはロータとして作用する。
【００２９】
主回路基板２０３は、電流をコイルに印加するために、またはハウジングを回転させるのに必要な１つまたは複数のコントローラ、制御回路、ロジック、センサ、配線、および／または他の適切な構成要素を担持するように構成される。いくつかの実施形態では、主回路基板２０３は、車両のエンジン／電気制御ユニット（ＥＣＵ）を担持することができる。いくつかの実施形態では、主回路基板２０３は、ハブ装置２００の出力を制御するように構成された動力伝達（ＰＴ）構成要素（図示せず）を担持することができる。出力は、ロータアセンブリ（内部またはその内面上に磁石２０８が配置されたハウジング）とステータアセンブリ２０７との間の回転トルク力の形態で、またはモータによって消費されるワットによって測定することができる。いくつかの実施形態では、主回路基板２０３は、（例えば、三相交流を供給するために）バッテリアセンブリ２０５からの電力を管理するように構成された駆動回路を担持することができる。いくつかの実施形態では、動力伝達構成要素は、駆動回路の一部であってもよい。
【００３０】
バッテリアセンブリ２０５は、複数のバッテリパックを含むことができる。図示の実施形態では、バッテリアセンブリ２０５は、主回路基板２０３に隣接して横方向に配置された３つのバッテリパックを含む。他の実施形態では、バッテリアセンブリ２０５は、様々な方法で配置された異なる数のバッテリパックを有することができる。いくつかの実施形態では、バッテリアセンブリ２０５は、シャフト２０９に対して概ね垂直な基準面内に（例えば、このような実施形態では、バッテリパックの長手方向は基準面内にある）多角形（例えば、三角形、長方形、五角形、六角形など）を形成するように配置された複数のバッテリパックを含むことができる。いくつかの実施形態では、バッテリパックは、シャフト２０９の周りに等角度で配置することができる。いくつかの実施形態では、バッテリパックは、バッテリパックのサイズ／形状に基づいて配置され得る。例えば、バッテリパックは、図２ａに示したものとは異なる向きを有することができる。
【００３１】
いくつかの実施形態では、バッテリアセンブリ２０５は、バッテリ管理システム（ＢＭＳ）によって制御または管理することができる。ＢＭＳは、バッテリの状態を監視するように構成された１つまたは複数のセンサを含むことができる。いくつかの実施形態では、ＢＭＳを主回路基板２０３上に配置することができる。いくつかの実施形態では、様々なニーズまたは実際の設計に応じて、バッテリパック（およびその中のバッテリセル）を直列または並列に接続することができる。
【００３２】
いくつかの実施形態では、バッテリアセンブリ２０５は、主回路基板２０３上に配置された１つまたは複数のバッテリメモリに結合され、バッテリ関連情報（例えば、バッテリ使用情報、バッテリ動作命令（例えば、バッテリによって異なる場合がある充電／放電レートまたは他の命令）、バッテリファームウェア、バッテリ状態など）を記憶するように構成することができる。いくつかの実施形態では、バッテリメモリは、車両情報（例えば、ハブ装置２００内の動作温度、メンテナンス情報、モデル番号、シリアル番号など）またはユーザ情報（例えば、運転／乗車履歴、習慣など）を記憶するように構成することもできる。いくつかの実施形態では、バッテリメモリは、バッテリアセンブリ２０５のバッテリハウジング内に配置することができる。
【００３３】
いくつかの実施形態では、ハブ装置２００がコンパクトな設計になることができるように、バッテリアセンブリ２０５をステータアセンブリ２０７（の支持車輪）の内側に配置することができる。バッテリアセンブリ２０５をステータアセンブリ２０７内に配置する利点は、例えば、（１）ステータアセンブリ２０７が、例えば外部からの衝撃からバッテリアセンブリ２０５を保護することができること、および（２）この構成が、バッテリアセンブリ２０５がロータアセンブリの磁石２０８および／またはステータアセンブリ２０７のコイルによって生成される磁界の干渉／影響を受けるのを少なくとも部分的に防止することができることを含む。
【００３４】
車軸またはシャフト２０９は、主回路基板２０３、バッテリアセンブリ２０５、およびステータアセンブリ２０７に固定的に結合される。シャフト２０９は、車体（例えば、フレーム、シャーシ、構造部品など）に結合され、これらを支持することができる。作動中、ハウジングおよび（ハブフランジに結合されたスポークを介して）それに取り付けられた車輪は、シャフト２０９に対して回転して車体を動かすことができる。いくつかの実施形態では、シャフト２０９は、前輪構成要素（例えば、前輪フォーク）または後輪構成要素（例えば、後輪フレーム）に結合することができる。
【００３５】
いくつかの実施形態では、ハブ装置２００は、ハブ装置２００を防水にするように構成された１つまたは複数の防水構成要素（例えば、Ｏリング）を含むことができる。いくつかの実施形態では、防水構成要素は、シャフト２０９に隣接する位置、ハブ装置２００の構成要素（例えば、トルクセンサ）に隣接する位置などのような、１つまたは複数の位置に配置することができる。いくつかの実施形態では、防水構成要素は、ハブ装置２００全体の防水性を向上させるために、第１のハウジング構成要素１０１と第２のハウジング構成要素２０１との間、シャフト２０９の一方または両方の端部、サイドカバー４０４と第１のハウジング構成要素１０１および第２のハウジング構成要素２０１との間などに配置することもできる。いくつかの実施形態では、シャフト２０９は、トルクセンサを保護し、かつ／またはトルクセンサの取り付けを容易にするように構成されたトルクセンサジャケットに結合することができる。
【００３６】
図２ｂは、ステータアセンブリ２０７が第１のハウジング構成要素１０１内にどのように嵌合されるかを示す。図示されているように、ステータアセンブリ２０７はシャフト２０９に結合され、シャフト２０９は（示されているようにＸ方向において）第１のハウジング構成要素１０１の中心開口２１０を通過する。示されているように、複数の永久磁石２０８が、第１のハウジング構成要素１０１の内部または内面に配置される。動作中、複数の永久磁石２０８および第１のハウジング構成要素１０１は、ステータアセンブリ２０７に対して（第２のハウジング構成要素２０１とともに、ロータアセンブリとして）回転することができる。
【００３７】
いくつかの実施形態では、磁石２０８は、接続構造（例えば、金属リング）を介して第１のハウジング構成要素１０１に結合することができる。いくつかの実施形態では、磁石２０８は、第１のハウジング構成要素１０１の側壁１０１ａに結合するか、または、埋め込むことができる。いくつかの実施形態では、磁石２０８は、第１のハウジング構成要素１０１の外側リム１０１ｂに結合することができる。
【００３８】
図２ａに示すように、間隙２１２が、磁石２０８の縁と第１のハウジング構成要素１０１との間に形成される。間隙２１２は、第２のハウジング構成要素２０１と第１のハウジング構成要素１０１とが固定的に結合されるように、第２のハウジング構成要素２０１の挿入フランジ２０１１（図２ｂ）を受け入れるように構成される。
【００３９】
図３ａおよび３ｂは、スポーク１０５の一実施形態の等角図である。図３ａおよび図３ｂに示すように、スポーク１０５は、細長い中央部分１１１と、スポーク１０５の張り出し端部１０９に位置する停止部分１１３と、中空の部分球状ワッシャ１１５とを含む。部分球状ワッシャ１１５は、スポーク１０５の細長い中央部分１１１が通過することを可能にする貫通孔１１７を含む。
【００４０】
部分球状ワッシャ１１５は、貫通孔１１７の一方の端部にある第１の切頭開口（またはスポーク１０５の張り出し端部の少なくとも一部と嵌合するように寸法決めされたテーパ状のカウンターボア）１１９と、貫通孔１１７の他端にある第２の切頭開口（またはカウンターボア）１２１とを含む。図示のように、第１の切頭開口１１９の直径は、第２の切頭開口１２１の直径よりも大きい。また、図示されているように、第１の切頭開口１１９の直径は、スポーク１０５の張り出し端部１０９の直径よりも小さい。したがって、張り出し端部１０９は、スポーク１０５が車輪内に固定されたときに、部分球状ワッシャ１１５に部分的に嵌合する。
【００４１】
いくつかの実施形態では、張り出し端部１０９および部分球状ワッシャ１１５が堅固に嵌合して結合され得るように、張り出し端部１０９の形状は、部分球状ワッシャ１１５の形状（例えば、第２の切頭カウンターボア１２１の形状）に対応する。張り出し端部１０９および部分球状ワッシャ１１５の対応する形状は、それらの間に十分な接触面を提供する。
【００４２】
図４は、本技術の実施形態によるハブ装置２００を支持する車両フレーム４０１および充電ヘッド４０２の等角図である。図示のように、ハブ装置２００のシャフト２０９は、車両フレーム４０１に固定的に結合されている。サイドカバー４０４はシャフト２０９に固定的に結合され、したがってハブ装置２００とともに回転しない。  ハブ装置２００は、スポーク１０５および取り付け部分１０３を介して車輪４０３に結合される。車輪４０３は、ハブ装置２００によって回転して車両フレーム４０１を動かすことができる。車輪４０３が回転していないとき、充電ヘッド４０２をハブ装置２００に結合して、ハブ装置２００内のバッテリアセンブリ２０５を充電することができる。いくつかの実施形態では、充電ヘッド４０２は、磁力によってハブ装置２００に結合することができる。図示のように、充電ヘッド４０２は、ワイヤ４０５を介して電源に接続することができる。
【００４３】
本技術は、特定の例示的な実施形態を参照して説明されているが、本技術は、記載された実施形態に限定されず、添付の特許請求の範囲の主旨および範囲内で修正および改変されて実施され得ることが認識されよう。したがって、本明細書および図面は、限定的な意味ではなく例示的な意味において考えられるべきである。
【図１】
2019099147.tif 000003
【図２ａ】
2019099147.tif 000004
【図２ｂ】
2019099147.tif 000005
【図３ａ】
2019099147.tif 000006
【図３ｂ】
2019099147.tif 000007
【図４】
2019099147.tif 000008
【外国語明細書】
2019099147000001.pdf